(57)【特許請求の範囲】
【請求項１】
識別情報が付された所定のタイムカードに、出退勤時刻等の印字を行う機能を備えたタイムレコーダであって、
少なくともカード認識手段と印字手段と記憶手段と通信手段および制御手段とを備え、
前記カード認識手段は、前記タイムカードに付された識別情報を認識するための手段であり、
前記印字手段は、前記タイムカードに対して文字、数字等を印字するための手段であり、
前記記憶手段は、少なくとも、複数の前記タイムカードの識別情報の記憶と、当該識別情報に対応する印字情報として、印字すべき文字に対応したフォントデータと、前記フォントデータがタイムカードのどの印字欄に印字されるかを表す情報の記憶を少なくとも一時的に行うための手段であり、
前記通信手段は、少なくとも前記タイムカードに印字すべき前記印字情報を備えた外部装置と通信を行うための手段であり、
前記制御手段は、所定のプログラムによって動作するＣＰＵ等を備えた演算処理手段であり、前記各手段を制御し、前記通信手段を介して取得した前記印字情報に基づいてタイムカードに対して所定の印字を行わせる機能を有していることを特徴とするタイムレコーダ。
【請求項２】
識別情報が付された所定のタイムカードに、出退勤時刻等の印字を行う機能を備えたタイムレコーダであって、
少なくともカード認識手段と印字手段と記憶手段と記憶媒体読取手段および制御手段とを備え、
前記カード認識手段は、前記タイムカードに付された識別情報を認識するための手段であり、
前記印字手段は、前記タイムカードに対して文字、数字等を印字するための手段であり、
前記記憶手段は、少なくとも、複数の前記タイムカードの識別情報と当該識別情報に対応する印字情報として、印字すべき文字に対応したフォントデータと、前記フォントデータがタイムカードのどの印字欄に印字されるかを表す情報を常時または一時的に記憶するための手段であり、
前記記憶媒体読取手段は、少なくとも前記タイムカードに印字すべき前記印字情報を記憶した記憶媒体から、前記印字情報を読み取るための手段であり、
前記制御手段は、所定のプログラムによって動作するＣＰＵを備えた演算処理手段であり、前記各手段を制御し、前記記憶媒体読取手段を介して取得した前記印字情報に基づいて、タイムカードに対して所定の印字を行わせる機能を有していることを特徴とするタイムレコーダ。
【請求項３】
タイムカードに対して出退勤時刻等の印字を行う機能を備えたタイムレコーダに対し、所定の印字情報を提供するための端末装置であって、
前記印字情報は、印字すべき文字に対応したフォントデータと、前記フォントデータがタイムカードのどの印字欄に印字されるかを表す情報であり、
少なくともキーボード等の入力手段と記憶手段と制御手段と通信手段若しくは記憶媒体に対する読み書き手段とを有しており、
前記入力手段は、タイムカードに対して印字すべき文字または数字を入力するための手段であり、
前記記憶手段は、前記制御手段によって実行される所定のプログラムを記憶するとともに、前記入力手段によって入力された前記文字または数字を常時若しくは一時的に記憶する手段であり、
前記制御手段は、前記プログラムによって動作するＣＰＵ等を備えた演算処理手段であり、
前記各手段を制御し、前記入力手段によって入力された文字または数字に対応した印字情報を前記通信手段を介して出力若しくは読み書き手段を介して所定の記憶媒体に書き込むようになっていることを特徴とする端末装置。
【請求項４】
識別情報が付された所定のタイムカードに、出退勤時刻等の印字を行う機能を備えたタイムレコーダと、
前記タイムレコーダに対して、前記タイムカードに印字すべき文字のフォントデータを提供するための端末装置を有し、
前記端末装置によって提供されたフォントデータを、前記タイムレコーダの印字手段を用いて所定のタイムカードに印字することを特徴とするタイムカード印字システム。
【発明の詳細な説明】
【０００１】
【従来の技術】
従来、従業員の出退勤を管理する装置として、タイムカードを差し込んで、差し込んだ時刻を出勤又は退勤時刻として記録するタイムレコーダが一般的に普及している。
また、当該タイムレコーダに使用するタイムカードには、タイムカードを他のタイムカードから識別するためのパンチ孔その他の手段による識別情報が設けられ、さらに誰のタイムカードであるかが解るように、氏名および管理番号を記載する欄が設けられている。そして、当該タイムカードは約一月分の打刻印字ができるようになっており、一月毎に新しいタイムカードに取り替えられ、その都度担当の管理者が所定の管理台帳等を基に手書きで氏名等の所定事項を記入し、新しいカードを作成していた。
【０００２】
【発明が解決しようとする課題】
上記従来の例では、全従業員のタイムカードに対して、月が変わるごとに手書きで氏名等の必要事項を記載するようになっていたため、担当者にとっては負担の大きい仕事となっていた。
また、自動的に氏名等の必要事項を印字する機能を有したタイムレコーダが知られているが、当該タイムレコーダは所定の文字情報を入力するためのキーボード、前記入力に伴う大量の印字用データ（フォントデータ）等を記憶するための記憶手段、演算手段および所定の文字変換プログラム等を必要とするため、装置として高価なものとなっていた。
【０００３】
本願発明は、上記の点に鑑み発明されたものであって、従来型のタイムレコーダに通信手段または別途提供される記憶媒体の読取手段を設けるとともに、別途パーソナルコンピュータその他の手段によって入力した氏名その他の印字情報を前記通信手段または記憶媒体を介して提供することにより、提供された印字情報に基づいてタイムレコーダに所定の印字をさせることをその課題とする。
【０００４】
【課題を解決するための手段】
上記課題を解決するために、請求項１記載の発明は以下の構成を有する。すなわち、
識別情報が付された所定のタイムカードに、出退勤時刻等の印字を行う機能を備えたタイムレコーダであって、
少なくともカード認識手段と印字手段と記憶手段と通信手段および制御手段とを備え、
前記カード認識手段は、前記タイムカードに付された識別情報を認識するための手段であり、
前記印字手段は、前記タイムカードに対して文字、数字等を印字するための手段であり、
前記記憶手段は、少なくとも、複数の前記タイムカードの識別情報の記憶と、当該識別情報に対応する印字情報として、印字すべき文字に対応したフォントデータと、前記フォントデータがタイムカードのどの印字欄に印字されるかを表す情報の記憶を少なくとも一時的に行うための手段であり、
前記通信手段は、少なくとも前記タイムカードに印字すべき前記印字情報を備えた外部装置と通信を行うための手段であり、
前記制御手段は、所定のプログラムによって動作するＣＰＵ等を備えた演算処理手段であり、前記各手段を制御し、前記通信手段を介して取得した前記印字情報に基づいてタイムカードに対して所定の印字を行わせる機能を有していることを特徴とするタイムレコーダ。
【０００５】
また、請求項２記載の発明は以下の構成を有する。すなわち、
識別情報が付された所定のタイムカードに、出退勤時刻等の印字を行う機能を備えたタイムレコーダであって、
少なくともカード認識手段と印字手段と記憶手段と記憶媒体読取手段および制御手段とを備え、
前記カード認識手段は、前記タイムカードに付された識別情報を認識するための手段であり、
前記印字手段は、前記タイムカードに対して文字、数字等を印字するための手段であり、
前記記憶手段は、少なくとも、複数の前記タイムカードの識別情報と当該識別情報に対応する印字情報として、印字すべき文字に対応したフォントデータと、前記フォントデータがタイムカードのどの印字欄に印字されるかを表す情報を常時または一時的に記憶するための手段であり、
前記記憶媒体読取手段は、少なくとも前記タイムカードに印字すべき前記印字情報を記憶した記憶媒体から、前記印字情報を読み取るための手段であり、
前記制御手段は、所定のプログラムによって動作するＣＰＵを備えた演算処理手段であり、前記各手段を制御し、前記記憶媒体読取手段を介して取得した前記印字情報に基づいて、タイムカードに対して所定の印字を行わせる機能を有していることを特徴とするタイムレコーダ。
【０００６】
また、請求項３記載の発明は以下の構成を有する。すなわち、
タイムカードに対して出退勤時刻等の印字を行う機能を備えたタイムレコーダに対し、所定の印字情報を提供するための端末装置であって、
前記印字情報は、印字すべき文字に対応したフォントデータと、前記フォントデータがタイムカードのどの印字欄に印字されるかを表す情報であり、
少なくともキーボード等の入力手段と記憶手段と制御手段と通信手段若しくは記憶媒体に対する読み書き手段とを有しており、
前記入力手段は、タイムカードに対して印字すべき文字または数字を入力するための手段であり、
前記記憶手段は、前記制御手段によって実行される所定のプログラムを記憶するとともに、前記入力手段によって入力された前記文字または数字を常時若しくは一時的に記憶する手段であり、
前記制御手段は、前記プログラムによって動作するＣＰＵ等を備えた演算処理手段であり、
前記各手段を制御し、前記入力手段によって入力された文字または数字に対応した印字情報を前記通信手段を介して出力若しくは読み書き手段を介して所定の記憶媒体に書き込むようになっていることを特徴とする端末装置。
【０００８】
また、請求項４記載の発明は以下の構成を有する。すなわち、
識別情報が付された所定のタイムカードに、出退勤時刻等の印字を行う機能を備えたタイムレコーダと、
前記タイムレコーダに対して、前記タイムカードに印字すべき文字のフォントデータを提供するための端末装置を有し、
前記端末装置によって提供されたフォントデータを、前記タイムレコーダの印字手段を用いて所定のタイムカードに印字することを特徴とするタイムカード印字システム。
【０００９】
【発明の実施の形態】
以下、本願発明について詳細に説明する。
（第１実施形態）
図１は、本願発明に係るタイムカード印字システムの構成概念を示す構成概念図である。同図において、１はタイムカード印字システム、３はタイムレコーダ、５はパーソナルコンピュータ等の端末装置、７はインターネット回線、９は管理装置（サーバ装置）を表している。
タイムレコーダ３は、通常その従業者が勤務する事業所に設置されるものであって、従業者が出勤時および退勤時に自分専用のタイムカード（以下単に「カード」という。）１１を差し込むことによって、カード１１上の所定の欄に出勤時、退勤時の時刻を印字するための装置である。
【００１０】
タイムレコーダ３および端末装置５の構成を図２に示す。同図に示すように、主要な構成としてタイムレコーダ３は制御手段１２、時計手段１３、表示手段１５、カード認識手段１６、印字手段１７、入力手段１９、記憶手段２１および通信手段２３とから構成されている。
制御手段１２はＣＰＵ、ＲＯＭ、ＲＡＭ、その他のデバイスから構成された演算処理手段であり、所定のプログラムに基づいてタイムレコーダ３の機能全体を制御するものである。時計手段１３は前記制御手段１２が有するクロックを用いて、年月日および時刻を生成するものである。当該時計手段１３で生成された前記時刻等は表示手段１５に表示され、出退勤データの一部として使用される。印字手段１７はカード１１がタイムレコーダ３に挿入された際、所定の出勤時刻、退勤時刻等をカード１１の打刻欄４８等の所定の位置に印字するようになっているものである。
カード認識手段１６は、カード１１に穿設した小孔によって形成されたカード識別情報（４５、４６）を認識するための手段である。
入力手段１９は、タイムレコーダ３に対する種々の設定や機能を利用するために使用するものであり、「時刻設定」「締日（集計日）設定」「始業時刻設定」「終業時刻設定」「残業開始時刻設定」「日付変更時刻設定（タイムレコーダ内部での日にちの切換を行う時刻）」「計算モード設定」等を行うための手段である。
記憶手段２１には、制御手段１２によって実行される所定のプログラムデータ、前記入力手段１９の入力に伴う各種設定情報、個々のカード（識別情報ごと）の出退勤時刻、および後述する氏名等の印字情報（カードに対して印字を行うためのフォント等のデータ）が少なくとも一時的に記憶されるようになっている。
【００１１】
また、タイムレコーダ３は通信手段２３を有している。通信手段２３は前記端末装置５と通信をするための所定のインターフェイスとしての機能を有したものである。
なお、当該タイムレコーダ３（制御手段１２）を動作させるためのプログラムは別途記憶媒体等を介して提供するようにしてもよい。このような形態を採用することで、例えば従来型のタイムレコーダに通信機能を後付的に付加して機能を向上させたり、より付加価値を高くしたものに更新するといった発展的なシステムの構築に対応することができるようになる。
【００１２】
次に、端末装置５について説明する。端末装置５には、パーソナルコンピュータ等のコンピュータ手段が用いられる。当該端末装置５の構成は図２に示す通りであり、制御手段２５、記憶手段２７、入力手段２９、通信手段３１を有し、外部機器として表示手段３３および印字手段３５が接続されている。
通信手段３１は、ＲＳ２３２Ｃ、ＵＳＢその他のインターフェイス手段であり、必要に応じて、通信モデムその他の電話回線を利用した通信を行うための通信手段も併用される。
また、以上の構成は何ら特別なものではなく、一般的に普及している「パソコン」と称されているコンピュータ手段と同等のものである。
また、当該端末装置５に対しては、ＣＤ−ＲＯＭその他の所定の記憶媒体により、所定の制御プログラムが提供されるようになっている。
【００１３】
次に、タイムレコーダ３に用いられるカード１１について説明する。カード１１は、図３に示す所定の形状に形成され、且つ所定の印字欄が設けられたものである。図３に示すカード１１は、従来から使用されているタイプのものであり、片面に半月分（１５日分）の出退勤が記録できるようになっているものである。同図において、４１は氏名欄、４２は所属欄、４３は番号欄、４４は年月欄であり、所定の情報を手書き又は印字により記入する部分である。また、４５および４６は小孔を穿設した穿孔部であり当該小孔の数及び位置の組み合わせによって、当該カード１１を識別するための識別情報となっているものである。また、４７は面取部であり、タイムレコーダ３に対してカード１１が正しい向きで挿入されているか否か、またはカード１１の表裏を判断するために形成されたものである。
【００１４】
ユーザに対して行われる一般的なカードの提供方法としては、例えば前記識別情報の異なる複数枚のカードが予めセットとして提供（販売）される場合と、識別情報の無い同一のカードを複数枚購入する場合とがある。後者の場合には、ユーザ側が予め定められたパターン（小孔の数およびその組み合わせ）で小孔を穿設し、所定の識別情報を有したカード１１として使用するようになっているものである。
【００１５】
以下、上記構成におけるカードの印字システムについて説明する。
タイムレコーダ３を用いてカード１１の氏名欄４１、所属欄４２、番号欄４３、年月欄４４に所定事項を印字させるために、端末装置５を用いて前記所定事項を入力する。なお、前述のように一番最適な実施形態として端末装置５にはパーソナルコンピュータが用いられ、当該パーソナルコンピュータに対しては、ＣＤ−ＲＯＭ、ＦＤといった記録媒体またはインターネット回線７を介して所定のサーバ９から所定の動作プログラムが提供されるようになっている。
【００１６】
端末装置５において所定のプログラムを起動すると図４に示すような入力表が現れ、当該入力表の空欄に対して、所定事項の入力若しくは選択をすることができるようになっている。
図４に示す入力欄としては、前記カード１１に対して記載すべき氏名欄４１、所属欄４２、番号欄４３、年月欄４４に対応する、氏名欄５１、所属欄５２、カードＮｏ．欄５３、年月日欄５４に加えて、社員番号欄５５が設けられている。
【００１７】
カード１１の識別情報とカードＮｏ．欄５３の関係について説明する。
実現するための方法としてはいくつかの手段があるが、最終的に必要なことは、カード１１の識別情報とカードＮｏ．欄５３が対応していることである。すなわち、タイムレコーダ３が認識できるのはあくまでカード１１の識別情報であり、そのカードがどの社員のカードであるかは認識することができないので、カード１１の識別情報と社員とを対応付けることが必要となる。このような対応付けを行うことで、タイムレコーダ３に対してカード１１が挿入された場合に、当該カード１１の識別情報を認識して、対応するカードＮｏ．欄５３の情報が端末装置５から読み出されるようになっていることである。
手段の一つとしては、カードＮｏ．欄５３に入力した番号に対して、予めカード１１に対する識別情報となる小孔の穿設パターン（小孔位置の組み合わせ）が定められている場合がある。また、他の手段として、任意のカード１１を一度タイムレコーダ３で認識させて、そのカードが例えば「００１」番、「００２」番であるというように、タイムレコーダ３若しくはタイムレコーダ３に接続された端末装置５に対して認識させ、カードと番号の対応づけをする方法がある。
さらに前者の場合には、前述のように予め小孔が穿設されたカードを購入する場合と、購入後にユーザが所定のルールに従って小孔を穿設する場合とがある。
以上のように、いくつかの手段はあるものの、タイムレコーダ３に所定のカード１１が挿入された場合には、端末装置５に入力または記憶されているカード１１に対応する情報が出力されるようになっている。
なお、本実施の形態においては、カードＮｏ．欄５３の番号「００１」「００２」・・に対応して、ユーザがカード１１の小孔を穿設する方法を採用する。また、小孔に限らずバーコードやドットのシールを貼り付ける方法としても良い。
【００１８】
図４の各入力項目についてさらに説明する。
氏名欄５１は、社員の氏名を入力する欄であり、カード１１における氏名欄４１に印字されるべき氏名を文字で入力する部分である。
所属欄５２は、社員の所属する部署を入力する欄であり、カード１１における所属欄４２に印字されるべき部署名を文字で入力する部分である。
カードＮｏ．欄５３は、前述のように識別情報によって識別される各カード１１と対応している番号であり、カード１１における番号欄４３に印字されるべき番号を数字で入力する部分である。
年月欄５４は、そのカード１１を使用する年および月を入力する欄であり、カード１１における年月欄４４に印字される数字である。
また、社員番号欄５５は、各会社や事業所で社員を管理するための社員番号を記載する欄であり、必要に応じて番号欄４３にカード番号に代わって印字することができるようになっている。また、当該欄に入力された社員番号は、別途設けられた従業員の出退勤を管理する管理システムとデータを共有するための、共通情報とすることができるようになっているものである。
【００１９】
次に端末装置５がタイムレコーダ３に対して送信等する印字情報について説明する。実際に端末装置５がタイムレコーダ３に対して送信等する印字情報は、文字コードデータ（ＪＩＳ第１水準、ＪＩＳ第２水準等といった番号で表されるコード番号）ではなく、その文字を印字するためのフォントデータである。
フォントデータとは、前記ＪＩＳ第１水準、ＪＩＳ第２水準等といった番号で表されるコード番号と対応し、所定のコード番号のときに、実際のプリンタに対してどのような形の図形（文字）を印字させるかを指示するための情報である。例えば、一文字を２５ドット（５行×５列の配列で行われる微少印字点の組み合わせ）の印字ヘッドを有したプリンタであれば、所定の文字を印字するためには、２５個のドットの内、どのドットを用いて印字をさせるのかを指定するデータである。
また、当該フォントデータは、特定のプリンタに対して提供されるデータであるので、異なったプリンタを使用する機種の場合には、同じ文字を印字する場合であってもフォントデータが異なる場合がある。また、書体の異なる文字を印字させようとした場合には、その書体ごとに専用のフォントデータが必要になるものである。
【００２０】
当然ながら、前記ＪＩＳ第１水準、ＪＩＳ第２水準に対応した漢字やカタカナ、ひらがな、アルファベット、数字等の文字に対応するフォントを記憶するためには、大容量の記憶領域が必要となるが、本実施の形態におけるタイムレコーダ３は、機器の単価を下げるために記憶容量を小さくしＣＰＵも安価なものを使用しているので、ＪＩＳ第１水準、ＪＩＳ第２水準といった文字に対応するフォントデータや当該データを処理する能力を有していない。
本願に係るシステムでは、当該フォントデータを、一般的に普及しているパーソナルコンピュータから、印刷時に必要なフォントデータを端末装置５に出力させるようにすることで、タイムレコーダ３に高度な機能を付加させることなく文字の印字をさせることができるようになっているものである。また、カードの識別情報を読み取って、そのカードに印字されるべき社員の氏名等が、自動的に印字されるようになっているものである。
【００２１】
次に、タイムレコーダ３と端末装置５が接続された状態で、端末装置５に対して所定事項が入力されてから、カード１１に対して所定の印字が行われるまでの手順を図５に示したフローチャートを用いて説明する。
第１に、前述したように端末装置５を用いて所定事項の入力を行うと（Ｓ１）、端末装置５は印字情報の送信待機状態となる（Ｓ２）。
次にタイムレコーダ３に対してカードが挿入されると（Ｓ３）、タイムレコーダ３はカードの識別情報を読み取り、タイムレコーダ３はカードの識別情報を端末装置５に対して送信し、端末装置５からの印字情報の送信を待機する（Ｓ４）。端末装置５は前記識別情報を受信すると、当該識別情報に対応するカードＮｏ．の印字情報をタイムレコーダ３に対して送信し、タイムレコーダ３は当該印字情報を受信する（Ｓ５）。この時タイムレコーダ３に対して送信される印字情報は、氏名その他の文字に対応するフォントデータと、そのフォントデータがどの印字欄に印字されるべき情報なのかを表す情報である。
次に、タイムレコーダ３が前記フォントデータを受信すると、カード上の所定の位置に受信したフォントに従って印字を行う（Ｓ６）。
次に、一のカードに対する全ての印字が終わり、さらに他のカードの印字を繰り返す場合には、タイムレコーダ３に他のカードを挿入することにより、前述の手順を繰り返し、自動的に所定の印字を行うことができるようになっている。
【００２２】
以上説明したように、端末装置５を用いて複数人分の氏名等の情報を入力し、タイムレコーダ３に所定の情報を送ることにより、カード１１に対して所定の事項を印字させることができるようになっている。
【００２３】
（第２実施形態）
以下、本願発明に係る第２実施形態について説明する。
前記第１実施形態は、タイムレコーダ３と端末装置５が各通信手段２３および３１を用いて接続されることにより、所定のカードに対応した印字情報がタイムレコーダ３に対して送信され印字されるようになっているものである。
これに対して第２実施形態は、前記通信手段２３および３１を介した通信を使用せず、端末装置５によって作成した印字情報を、ＦＤ（フロッピーディスク）またはメモリカード等の記憶媒体を介してタイムレコーダ３に提供するというものである。
【００２４】
具体的な構成を図２を用いて説明する。第１実施形態で説明した主要な手段の他、タイムレコーダ３および端末装置５は、以下の手段を備えている。
すなわち、タイムレコーダ３には記憶媒体３９のデータを読みとるための記憶媒体読取手段２５が設けられ、端末装置５には記憶媒体３９に対するデータの読み書きを行うためのフロッピーディスクドライブ３６、またはメモリカード等を用いる場合には他の読み書き手段３７が設けられている。
また、タイムレコーダ３は、自動的に前記記憶媒体３９に記憶されたデータを読み取り、対応するカード１１に所定の印字をするための制御プログラムを有している。
以上の構成により、パーソナルコンピュータ等の端末装置５を用いて氏名その他必要事項の入力を行い、入力の結果得られた印字情報を記憶媒体を介してタイムレコーダ３に提供し、タイムレコーダ３に対して所定の印字を行わせることができるようになっている。
【００２５】
【実施例】
その他の実施例を説明する。前記タイムレコーダ３に対して提供されるフォントデータ、または汎用のパーソナルコンピュータに対して前記端末装置としての機能を持たせるために、当該フォントデータまたはプログラムをインターネット回線７を介して所定の管理サーバ９から取得するように構成することができる。
また、複数のタイムレコーダを使用するような比較的規模の大きな会社等の場合には、一カ所の管理用コンピュータでデータ入力したものを、各タイムレコーダに対してインターネット回線を介して分配するようにすることができる。
また、前述の例ではタイムレコーダと端末装置を用いた例で説明したが、タイムレコーダを直接インターネット回線に接続し、オンラインで前記端末装置と同様の機能をもたせた所定の管理用コンピュータとオンラインで接続することにより、同様のカード印字を行わせるようにしてもよい。
【００２６】
【発明の効果】
以下、本願発明の効果を説明する。請求項１または４記載の発明は、以下に述べる効果を有している。
すなわち、従来のタイムレコーダでは、全従業員のタイムカードに対して、月が変わるごとに手書きで氏名等の必要事項を記載するようになっていたため、担当者にとっては負担の大きい仕事となっていた。しかし、本願発明のタイムレコーダによれば、ワープロ等としてもよく使用されるコンピュータを端末装置として簡易迅速に文字入力を行い、この入力したデータを用いてタイムカードに必要な印字を行うことができるようになっている。また、文字入力をした後は、タイムレコーダに対してタイムカードを差し込むだけで、必要な印字を自動的に行わせることができるので操作が簡単である。また、一度入力したデータは保存しておけるため、月が変わるたびに入力をしなおすということも少なく、従来、月が変わる毎に行っていたカードに対する文字記入の時間を節約することができるという効果を有している。
【００２７】
また、請求項２記載の発明は、以下に述べる効果を有している。すなわち、上記効果と同様の作用、効果を奏する他の手段を提供することができるという効果を有している。つまり、タイムレコーダに対するデータの提供を、記憶媒体を介して行うことができるので、同一機能を有する複数のタイムレコーダに対して、同じデータを提供することができる。これによって、複数台のタイムレコーダを有している場合には、複数台を同時に使用して短時間で全従業員分のカードの作成することができるという効果を有している。
【００２８】
また、請求項３記載の発明は、以下に述べる効果を有している。すなわち、一般的に普及しているパーソナルコンピュータを、データの入力装置として使用できるので、特に設備として新たに設けることなく、既存の設備を有効に使用しつつ上記の効果を奏することができるようになっている。
【図面の簡単な説明】
【図１】本願発明のタイムカード印字システムの構成概念を示す構成概念図である。
【図２】本願発明のタイムレコーダおよび端末装置の構成を説明するためのブロック図である。
【図３】タイムカードを説明するための説明図である。
【図４】端末装置による入力例を説明するための説明図である。
【図５】本願発明のタイムカード印字システムを説明するためのフローチャートである。
【符号の説明】
１  カード印字システム
３  タイムレコーダ
５  端末装置（パーソナルコンピュータ）
７  インターネット回線
９  管理装置（サーバ装置）
１１  タイムカード
１２  制御手段
１３  時計手段
１５  表示手段
１６  カード認識手段
１７  印字手段
１９  入力手段
２１  記憶手段
２３  通信手段
２５  制御手段
２７  記憶手段
２９  入力手段
３１  通信手段
３３  表示手段
３５  印字手段
３７  読み書き手段
４１  氏名欄
４２  所属欄
４３  番号欄
４４  年月欄
４５  穿孔部（識別情報）
４６  穿孔部（識別情報）
４７  面取部
４８  打刻欄
【図１】
0004780509.tif 000002
【図２】
0004780509.tif 000003
【図３】
0004780509.tif 000004
【図４】
0004780509.tif 000005
【図５】
0004780509.tif 000006